(57)【要約】【課題】土木シートどうし、あるいは土木シートと網状体との接続を工事現場で簡単に行なえ、かつ両者間に高い接続部の強度が得られる接続具を提供すること。【解決手段】逆Ｕ字材を上向きに固定保持した基板、その逆Ｕ字材が挿入可能な長方形状のスリットを設けた押さえ板、およびその押さえ板と逆Ｕ字材頂部との間に挿入して基板と押さえ板とを押圧固定するくさび型の挿入材とを組み合わせた接続具であって、土木シートどうしまたは土木シートと網状体との接続に使用できる。この接続具を盛土工法に適用すると、盛土全体が補強され、強固な土地を造成することができる。【選択図】　　　　　図２
2004143773.tif 000002
【特許請求の範囲】
【請求項１】
逆Ｕ字材を上向きに固定保持した基板、その逆Ｕ字材が挿入可能な長方形状のスリットを設けた押さえ板、およびその押さえ板と逆Ｕ字材頂部との間に挿入して基板と押さえ板とを押圧固定するくさび型の挿入材とを組み合わせてなることを特徴とする土木シート用の接続具。
【請求項２】
逆Ｕ字材を上向きに固定保持した基板に向かって一方の側から土木シートを、また反対の側から土木シートまたは網状体を敷設して基板上で各々の端部を互いに重ね合せ、シートおよび網状体の各端部に有する逆Ｕ字材が挿入可能な開口部に逆Ｕ字材を挿入し、次いでその上から逆Ｕ字材が挿入可能な長方形状のスリットを設けた押さえ板を被せかつそのスリットに逆Ｕ字材を挿入し、その後その押さえ板と逆Ｕ字材頂部との間にくさび型の挿入材を打ち込むことを特徴とする土木シートの接続方法。
【請求項３】
請求項２に記載の接続方法において、基板上で互いに重なった土木シートどうしの端部間に、または土木シートと網状体との端部間に、さらにすべり防止材を介在させることを特徴とする土木シートの接続方法。
【請求項４】
逆Ｕ字材を上向きに固定保持した基板上で、その一方の側から盛土水平面に敷設する土木シートの端部と、また反対の側から盛土法面を被覆ないし形成する網状体の端部とを互いに重ね合わせて設置し、その際土木シートの端部には逆Ｕ字材が挿入可能な線状の切れ目が、また網状体の端部には逆Ｕ字材が挿入可能な網目が各々開口部として設けられており、それらの開口部に逆Ｕ字材を挿入し、次いでその上から逆Ｕ字材が挿入可能な長方形状のスリットを設けた押さえ板を被せかつそのスリットに逆Ｕ字材を挿入し、その後その押さえ板と逆Ｕ字材頂部との間にくさび型の挿入材を打ち込み、さらに土木シートと網状体とで区画された地盤上に盛土することを特徴とする盛土工法。
【発明の詳細な説明】
【０００１】
【発明の属する技術分野】
本発明は、土木工事分野で用いられる土木シートどうしあるいは土木シートと網状体とを接続するために用いられる接続具、それを用いた土木シート等の接続方法、およびその方法を盛土施工に応用した盛土工法に関する。
【０００２】
【発明の技術的背景】
近年の土木工事では、織布や不織布のような土木シート、あるいは金属製やプラスチック製の網状体が広範に使われている。例えば擁壁、道路、造成地等の構築や、河川や海岸の改修等の土木工事において、土木シートは、排水材、盛土補強材、裏込補強材等として、網状体は、法面および盛土の補強材あるいは法面の形成材等として好適に使用されている。
【０００３】
その土木シートは、工事中に端尺が生じて他品と接続する必要性に迫られて来たり、あるいは異なった種類のシート間やシートと網状体間で接続せねばならない事態に到ることもある。従来そのような状況下では、糸で縫い合わせたり、ロープや棒状成形体を用いて接続する方法が一般に採られて来たが、施工時に強い土圧や引張力がその接続部にかかり易いことから、接続部の強度をより一層高める技術開発が要請されている。
【０００４】
【特許文献１】
実開平６−４００３９号公報
【特許文献２】
特開平３−５１４２３号公報
【０００５】
【発明が解決しようとする課題】
そこで本発明は、種々の土木シート間のあるいは土木シートと網状体との接続を工事現場における簡単な手作業によって行なうことができ、それによって接続部の高い機械的強度が得られる接続具、およびそれを用いた土木シート等の接続方法の提供を目的にする。さらに本発明は、そのような接続方法を応用した盛土工法の提供を目的にする。
【０００６】
【課題を解決するための手段】
すなわち本発明は、逆Ｕ字材を上向きに固定保持した基板、その逆Ｕ字材が挿入可能な長方形状のスリットを設けた押さえ板、およびその押さえ板と逆Ｕ字材頂部との間に挿入して基板と押さえ板とを押圧固定するくさび型の挿入材とを組み合わせて構成された土木シート用の接続具に関する。
【０００７】
また本発明は、逆Ｕ字材を上向きに固定保持した基板に向かって一方の側から土木シートを、また反対の側から土木シートまたは網状体を敷設して基板上で各々の端部を互いに重ね合せ、シートおよび網状体の各端部に有する逆Ｕ字材が挿入可能な開口部に逆Ｕ字材を挿入し、次いでその上から逆Ｕ字材が挿入可能な長方形状のスリットを設けた押さえ板を被せかつそのスリットに逆Ｕ字材を挿入し、その後その押さえ板と逆Ｕ字材頂部との間にくさび型の挿入材を打ち込む土木シートの接続方法に関する。この方法において、基板上で互いに重なった土木シートどうしの端部間に、または土木シートと網状体との端部間に、さらにすべり防止材を介在させてもよい。
【０００８】
さらに本発明は、逆Ｕ字材を上向きに固定保持した基板上で、その一方の側から盛土水平面に敷設する土木シートの端部と、また反対の側から盛土法面を被覆ないし形成する網状体の端部とを互いに重ね合わせて設置し、その際土木シートの端部には逆Ｕ字材が挿入可能な線状の切れ目が、また網状体の端部には逆Ｕ字材が挿入可能な網目が各々開口部として設けられており、それらの開口部に逆Ｕ字材を挿入し、次いでその上から逆Ｕ字材が挿入可能な長方形状のスリットを設けた押さえ板を被せかつそのスリットに逆Ｕ字材を挿入し、その後その押さえ板と逆Ｕ字材頂部との間にくさび型の挿入材を打ち込み、さらに土木シートと網状体とで区画された地盤上に盛土する盛土工法に関する。
【０００９】
【発明の具体的説明】
次に図面を参照して、本発明に係わる土木シート用の接続具、土木シート等の接続方法およびそれを応用した盛土工法についてより具体的に説明する。
【００１０】
接　続　具
図１は、基板１、押さえ板５および挿入材７とを組み合わせて構成した本発明に係わる土木シート用接続具の一例を、各々の部材に分解して示した概略的な斜視図である。
【００１１】
基板１の構造は、図１では横軸材３と縦軸材４とを組み合わせて固定した、溶接金網のような平面的な格子状物を示しているが、それに限らず菱形の網目を有するエキスパンドメタル板であってもよいし、平板状の単板であってもよい。中でも、機械的強度が高く、軽量で作業性がよく、かつ土壌に保持され易いとの観点から、図１に示した溶接金網のような格子状物や菱形の開口部を持ったエキスパンドメタル板が望ましい。
【００１２】
この基板１には、その中央部に上向きに立ち上がった逆Ｕ字材２が固定保持されている。その逆Ｕ字材２の形状は、基板１の上方に向かって棒材がほぼ「コ」の字状、円弧状ないし逆Ｖ字状に成形されていればよい。基板１および逆Ｕ字材２の材質は、機械的強度が高く、かつ土壌中に埋設された時に耐腐食性を示す金属製品が望ましく、特に亜鉛メッキや樹脂コーティングされた鋼製品が好ましい。
【００１３】
押さえ板５は、平板形状であって、その中央部に逆Ｕ字材２が挿入可能な長方形状の孔、すなわちスリット６が穿設されており、その押さえ板５と基板１との間に土木シート等が挟まれることになる。前記のスリット６は、押さえ板５の側面まで通じていてもよい。従って、押さえ板５と土木シート等との間の摩擦力を高めて土木シート等が滑り出ないように、押さえ板５の裏面に複数の爪状の凹凸を設けたり、あるいはエキスパンドメタル板のような凹凸のある板状物を積層溶接する等の手段を講じてもよい。また、この押さえ板５には、水抜きの目的で、その周囲端部に円弧状ないし矩形の切り欠きあるいは孔を設けてもよい。
【００１４】
挿入材７は、押さえ板５と逆Ｕ字材２の頂部との間に挿入して両者を強固に固定する部材であって、いわばくさび的な役割を果たしている。その形状は、縦型の平板状ではあるが、挿入固定し易いように一端の高さが他端の高さよりも低く、中間部の高さが押さえ板５と逆Ｕ字材２の頂部との距離に一致するように調整されている。また、その天端は、平滑であってもよいし、粗面であってもよく、ぎざぎざ状の凹凸面にしておくと逆Ｕ字材２の頂部との摩擦を高め、相互の位置固定が容易になる。さらに挿入材７には、その下端に「足」を一体に設けて押さえ板５との安定性を増してもよい。押さえ板５および挿入材７の材質は、機械的強度が高く、耐腐食性があり、かつ挿入材７が打ち込み易くかつ抜けにくいものであれば特に制限されない。
【００１５】
図２は、前述した各部材を組み合わせかつ組み立てた時の接続具の外観構造を示す概略の斜視図である。基板１に押さえ板５を上方から被せ、基板１の持つ逆Ｕ字材２が押さえ板５のスリット６を貫通して挿入されており、逆Ｕ字材２が押さえ板５の表面から飛び出したその空間に挿入材７が挿入固定されている。従って、基板１と押さえ板５との間で、かつ図２における逆Ｕ字材２の左右方向から、土木シートや網状体等とを別々に挟みこむと、挿入材７の押圧力によってそれ等は固定され、ちょうど２枚の土木シートが、あるいは土木シートと網状体等とが接続された状況になる。
【００１６】
図１では、基板１は各々２本の横軸材３と縦軸材４とを組み合わせて四辺形状を形成しているが、平行に置かれた長い横軸材３、３との間に複数の縦軸材４を渡して「はしご」状に形成し、あるいは幅の長いエキスパンドメタル材を用い、そこへ適度な間隔で複数の逆Ｕ字材２を固定保持させてもよい。その場合には、押さえ板５にも、複数の逆Ｕ字材２が挿入可能な複数のスリット６を穿設すればよく、このような基板と押さえ板との組み合わせを用いると幅広の土木シート等の接続に好都合である。
【００１７】
接　続　方　法
本発明に係わる土木シートの接続方法は、前記した接続具を用い、基板１と押さえ板５との間に２枚の土木シート、或いは土木シートと網状体とを挟み、その接続具を介してそれらを互いに接続する方法である。
【００１８】
まず本発明で使用可能な土木シートは、天然繊維、合成繊維等からなる織布または不織布等の繊維シートを挙げることができる。特に、ポリエチレン繊維、ポリプロピレン繊維、あるいはポリエステル繊維から形成された厚手の不織布は、良好な排水効果および土壌安定化効果を有するので土木シートとして好ましい。また、不織布の少なくとも一方の面にポリエチレンやポリプロピレン製のスリットヤーンあるいはスプリットヤーンから製造した織布、割り布等を積層接着した複合体は、機械的強度が一層改良されているので土木シートとして特に好適である。
【００１９】
また網状体としては、金属製の網状物、合成繊維製の網状物ないしプラスチック製の網状物が良好な土壌や法面の安定化効果を有しているので好ましく用いられる。金属製の網状物として、一般的な金網や溶接金網を例示することができ、また合成繊維製の網状物としては、高強度繊維を角目状に織ったあるいは編んだネットを例示することができる。さらにプラスチック製の網状物としては、ポリエチレンやポリプロピレン等から製造したネットを一軸ないし二軸方向に延伸処理を施した延伸ネットを例示することができ、それは高い機械的強度を有すると共に、耐薬品性、柔軟性を有しているので土木用の網状体として好適である。
【００２０】
図３および図４は、本発明に係わる土木シートの接続方法の一例を概略的に示す断面図である。図３において、接続具は、図２のＡ−Ａ’断面を主体にした概略断面図として示してある。図４において、接続具は、図２のＢ−Ｂ’断面を主体にした概略断面図として示してある。基板１の上に、一方の側から（図３および４では左側から）土木シート１０が水平に敷設され、反対の方向から（図３および４では右側から）土木シート２０が同様に水平に敷設され、両方のシート１０、２０の端部が基板１の上で重なり合うように置かれる。土木シート１０および２０の各端部には、逆Ｕ字材２を挿入できる開口部が設けられており、その各々の開口部を貫通して逆Ｕ字材２が挿入される。開口部の形状は任意であるが、例えば土木シートが繊維シートであれば、開口部は逆Ｕ字材２が挿入可能な線状の切れ目を入れておけばよい。
【００２１】
その後、押さえ板５を土木シート２０の上方から被せ、押さえ板５のスリット６に逆Ｕ字材２を入れて、押さえ板５を土木シート２０の上に載せる。さらに、逆Ｕ字材２の上部空間部に挿入材７を打ち込むことによって接続具を構成する各部材および土木シート１０、２０は互いに固定される。なお、図３および図４に示した挿入材７には、その位置を安定化するための足８が設けられている。
【００２２】
土木シートは、１０および２０が共に同一種類のものであってもよいし、互いに異なった種類のものであってもよい。例えば、１０および２０が共に繊維シートであれば、この接続方法によって繊維シートどうしが接続されることになる。また一方の土木シートを網状体に代えてもよく、その場合には土木シートと網状体とが接続されることになる。網状体を用いる時には、逆Ｕ字材を挿入する開口部は逆Ｕ字材２が挿入可能な網目を選べばよい。各土木シートまたは網状体は、それらを重ねて使用したり、あるいは互いに組み合わせて使用してもよい。
【００２３】
この接続方法の一態様として、基板上で互いに重ねられる土木シートどうしの端部間に、あるいは土木シートと網状体の各端部間にすべり防止材を介在させてもよい。すべり防止材は、両者間の摩擦係数を高めて、土木シートどうしを、あるいは土木シートと網状体とを互いに滑らさせないようにして強固に接続させるものである。そのようなすべり防止材の例として、ゴムシート、金網、エキスパンドメタル板、しま鋼板、表面に凹凸のあるやすり状の板、波板、鉄筋等を挙げることができる。
【００２４】
盛　土　工　法
本発明における盛土工法は、前述した接続具および接続方法を盛土施工に応用し、盛土の安定化と法面の構築、保護とを同時に図る工法である。
【００２５】
図５は、本発明に係わる盛土工法の一例を示す概略の断面図であって、基礎地盤７０上に盛土工事を施工する時の１段目を構築する状況を示している。まず法面部分を構築するために用いられる網状体４０をＬ字状に曲げて、必要ならば「コ」の字状に曲げて、その底面端部を基板１の上に載せる。図５では、網状体４０として、縦筋と横筋とからなる溶接金網を示している。一方盛土部分を構築するために用いられる土木シート５０を他方の側から水平に敷設して、その一方の端部を基板１の上に載せ、両者４０、５０の端部を基板１の上で重ね合せる。図５では、土木シート５０として不織布を示している。その際、土木シート５０の端部には逆Ｕ字材２が挿入可能な線状の切れ目を開口部として入れておき、また網状体４０の端部にはその開口部として逆Ｕ字材２が挿入可能な網目にしておく。図５では、網状体４０と土木シート５０とが重なり合う部分の中間にすべり防止材３０を挿入し、介在させてある。
【００２６】
別々の方向から敷設されてきた網状体４０および土木シート５０は、それらの端部にある開口部を各々基板１の逆Ｕ字材２に挿入し、さらにその上から押さえ板５を被せて逆Ｕ字材２をそのスリット６に挿入する。次いで、逆Ｕ字材２の頂部と押さえ板５との間隙に挿入材７を打ち込むと、基板１と押さえ板５との間に挟まれた網状体４０と土木シート５０とは強固に固定される。このようにして接続された網状体４０と土木シート５０とで区画された地盤上に盛土６０を施工し、盛土工事を進行させていく。図５では、盛土工事の１段目を示しているが、盛土の設計高さや法面の形状に応じて、同じ工法を繰り返して多段の盛土を構築することができる。
【００２７】
【実施例】
次に実施例を通して本発明を説明するが、本発明はその実施例に限定されるものではない。
【００２８】
まず、溶接金網に鋼製逆Ｕ字材を溶接固定した基板、中央部に逆Ｕ字材の入るスリットおよび周囲に水抜き用の切り欠き孔を設けた亜鉛メッキ鋼板製の押さえ板、および鋼板製の挿入材とを組み合わせた接続具を用意した。
【００２９】
一方、盛土の水平方向にポリプロピレン繊維製スパンボンド法不織布とポリプロピレンスリットヤーン製織布との積層シートを敷設し、一方盛土の法面に沿ってＬ型に成形した溶接金網を設置した。まず、法面形成用金網の盛土側端部の網目を逆Ｕ字材に挿入し、次に積層シートの法面側端部に工事現場で逆Ｕ字材が挿入可能な程度の切れ目を入れ、そして接続具の基板上の逆Ｕ字材にその切れ目を挿入した。なお、積層シートと溶接金網との間には、ゴムシートを挿入した。その後、その上に押さえ板を重ね、さらに挿入材を金槌を用いて打ち込んで積層シートと法面用金網とを確実に接続した。
【００３０】
さらに、網状体と積層シートとに囲まれた区域に盛土材を撒きだし、建設重機を使用して転圧作業を行なった。網状体と積層シートとが強固に接続されているために、接続部は施工時の土圧に十分に耐え得る強度を示し、盛土材の撒き出し作業と転圧作業とを安全に、かつ高い施工効率で進めることができた。同様の工程を繰り返して、盛土の積み重ねを行なった。施工された盛土体は、法面部の網状体によって法面の保護がなされ、またそれと確実に接続されかつ水平に敷設された積層シートによって盛土自体の安定性を高めることができた。その結果、網状体と積層シートとによって盛土全体が補強され、強固な地盤を造成することができた。
【００３１】
【発明の効果】
本発明に係わる接続具は、工事現場で簡単な手作業で組み立てることができ、各種の土木シートを或いは土木シートと網状体とを接続する用具として好適に用いられる。その接続具を使用した接続方法によると、接続された土木シート等は接続部で高い機械的強度を保持していることから、土木シート同士の接続や土木シートと網状体との間の接続に好適な方法として使用できる。
【００３２】
さらにこの接続方法を盛土施工に応用すると、工事現場での土木シート同士や土木シートと網状体との接続作業が容易であって、かつ接続部の強度が高いことから施工時の土圧に十分耐えることができ、強固な盛土体を構築することができる。
【図面の簡単な説明】
【図１】本発明に係わる土木シート用接続具の一例を各部材に分解して示した概略の斜視図である。
【図２】本発明に係わる土木シート用接続具の一例を各部材から組み立てた状態を示す概略の斜視図である。
【図３】本発明に係わる土木シートの接続方法の一例を概略的に示す断面図であって、図２のＡ−Ａ’断面を主体に示している。
【図４】本発明に係わる土木シートの接続方法の一例を概略的に示す断面図であって、図２のＢ−Ｂ’断面を主体に示している。
【図５】本発明に係わる盛土工法の一例を概略的に示す断面図である。
【符号の説明】
１　　基板
２　　逆Ｕ字材
５　　押さえ板
６　　スリット
７　　挿入材
１０、２０、５０　　土木シート
３０　すべり防止材
４０　　網状体
【図１】
2004143773.tif 000003
【図２】
2004143773.tif 000004
【図３】
2004143773.tif 000005
【図４】
2004143773.tif 000006
【図５】
2004143773.tif 000007